(57)【要約】【課題】ロール状に巻かれたビニールなどの円筒体を車両等に横積みして輸送する際の転動やずれなどの移動を防止する装置にあって、小型にして荷積み・荷下ろし時の作業性を向上し、かつ非使用時の収納性を向上するとともに、操作容易でかつ安全に取り扱うことができるようにする。【解決手段】傾斜状態で円筒体の側面に当接する支持面を有する支持部１０と、当該傾斜状態をベース３０に係合することで維持するストッパ４０と、当該傾斜状態を維持する位置にストッパをロックするとともに、支持面の背面側からの操作に応じてロックを解除可能なロック機構５０と、を設ける。ベースは、ロックが解除された状態において、支持面を上下いずれに向けた状態でも支持部を折りたたむことができるように保持する。【選択図】  図１
2006225041.tif 000002
【特許請求の範囲】
【請求項１】
傾斜状態で円筒体の側面に当接する支持面を有する支持部と、
該支持部を保持するベースと、
前記支持部に取り付けられ、前記ベースに係合することで前記支持部の傾斜状態を維持するためのストッパと、
前記ベースに取り付けられ、前記ストッパに係合することで前記支持部の傾斜状態を維持する位置にロックするとともに、前記支持面の背面側からの操作に応じて前記ロックを解除可能なロック機構と、
を具え、前記ベースは、前記ロックが解除された状態において、前記支持面を上に向けた状態および下に向けた状態で前記支持部を折りたたみ可能に保持することを特徴とする円筒体の移動防止装置。
【発明の詳細な説明】
【技術分野】
【０００１】
本発明は、円筒体の移動防止装置に関する。円筒体とは、例えばロール状に巻かれたビニールその他の樹脂フィルムや紙など、あるいは断面円形のダクトなどであり、本発明はこれらの円筒体を車両等に搭載して輸送する際の転動やずれなどの移動を阻止し、荷崩れなどを防止するのに好適なものである。
【背景技術】
【０００２】
円筒体を例えばトラックなどの車両の荷台、またはその荷台に搭載されるパレットに横積みする場合、輸送時における転動やずれなどの水平面内の移動を阻止し、荷崩れを防止することが必要である。従来は、木製の楔を円筒体と荷台またはパレットとの間に打ち込むことでこれを行うことが多かった。しかし輸送時の振動等により楔が外れる恐れもあり、必ずしも有効に移動を防止することができなかった。
【０００３】
これに対し、特許文献１には、断面半円形状の凹部をもつ部材を組み合わせ、対向凹部によって形成される断面円形状の空間に円筒体（ロール状物）を収納する構成が開示されている。特許文献１に開示の構成によると、ロール状物は断面円形状の空間に収納されるため、移動が阻止されて荷崩れがしにくいという効果が得られる。
【特許文献１】特開平９−１２０３１号公報
【発明の開示】
【発明が解決しようとする課題】
【０００４】
しかしながら、特許文献１に開示の部材は円筒体を収納する空間を形成するものであるために、その分大型な構成とならざるを得ない。また、円筒体には種々の径をもつものがあることに鑑みれば、径の異なる円筒体ごとに部材を用意しなければならない。さらに、荷積み時の作業を考えると、一つの部材を設置した後に、その凹部に円筒体を乗せ、さらに別の部材を被せるという手順を要するものとなる。また、荷下ろし時にはこれと逆の作業手順を要する。すなわち、荷積み・荷下ろし時の作業に煩雑な手順を要するものとなる。
【０００５】
本発明は、以上に鑑みてなされたもので、振動による脱落の恐れなく有効に円筒体の移動を阻止できるようにすることを目的とする。
【０００６】
また、本発明の他の目的は、小型にして荷積み・荷下ろし時の作業性を向上し得る円筒体の移動防止装置を提供することにある。
【０００７】
本発明のさらに他の目的は、操作容易で、かつ安全に取り扱うことのできる移動防止装置を提供することにある。
【０００８】
本発明の別の目的は、非使用時の収納性にも優れた移動防止装置を提供することにある。
【課題を解決するための手段】
【０００９】
そのために、本発明円筒体の移動防止装置は、傾斜状態で円筒体の側面に当接する支持面を有する支持部と、該支持部を保持するベースと、前記支持部に取り付けられ、前記ベースに係合することで前記支持部の傾斜状態を維持するためのストッパと、前記ベースに取り付けられ、前記ストッパに係合することで前記支持部の傾斜状態を維持する位置にロックするとともに、前記支持面の背面側からの操作に応じて前記ロックを解除可能なロック機構と、を具え、前記ベースは、前記ロックが解除された状態において、前記支持面を上に向けた状態および下に向けた状態で前記支持部を折りたたみ可能に保持することを特徴とする。
【発明の効果】
【００１０】
本発明によれば、ベースをパレット等に固定する一方、支持部を傾斜させた状態として支持面を円筒体に当接させることで、振動による脱落の恐れなく有効に円筒体の移動を阻止できる。また、支持部をベース上にいずれの方向にも折りたたみ可能としたことにより、小型にして荷積み・荷下ろし時の作業性を向上できるとともに、非使用時の収納性も向上できる。さらに、移動防止装置を取り扱う際、作業者は支持面の背面側、すなわち円筒体と向き合う面の裏側で操作を行えば足りるので、作業を容易かつ安全に進めることができるようになる。
【発明を実施するための最良の形態】
【００１１】
以下、図面を参照して本発明を詳細に説明する。
図１は本発明の一実施形態に係る移動防止装置を示す斜視図、図２は図１の右側面の透視図である。なお、以下では、便宜上、円筒体と向き合う側を正面側、その裏側にあって作業者と向き合う側を背面側と称する。
【００１２】
これらの図において、１０は支持部であり、円筒体１００（図２中の二点鎖線で示す）の側面が当接する支持面１２を有している。その支持面１２には、円筒体１００の損傷を防止するためにゴム等の弾性部材が貼着されていてもよい。支持部１０の両側部にはガイド２０が取り付けられている。ガイド２０の一側縁は湾曲部となっており、またその湾曲部に沿う形状のガイド溝２４が設けられている。３０はベースであり、対向する一対の側壁３２を有している。側壁３２には内向きにピン３４が立設され、ガイド溝２４に嵌入している。従って、ピン３４がガイド溝２４内を相対的に移動することで、ガイド２０ないし支持部１０はベース３０に対し変位可能である。２６は、円筒体を支持するための図１および図２に示す状態で、ピン３４が嵌まり込むガイド溝２４の部分周辺においてガイド２０を補強する部材である。
【００１３】
支持部１０の裏面の略中央部には一対のステー１４が突設され、それらのステー間に断面円形の軸１６が固定されている。軸１６はストッパ４０の支端が遊嵌されている。ストッパ４０の先端４２はベース３０の底面に設けた孔３８に挿通可能である。図に示す当該挿通状態では、ストッパ４０の先端部４２近傍の肩部４４がベース３０の底面に、またストッパ４０の中間の肩部４６がベース３０の背板３３の上縁に、それぞれ当接してストッパ４０の回動を阻止する。これとともに、軸１６を介して支持部１０を係止することで、円筒体１００を支持可能な状態となる。ストッパ４０には上記挿通状態においてロック部５２と係合する係合部４８が設けられ、これにより孔３８からのストッパ４０の離脱が阻止される。また、ストッパ４０の先端部４２にはテーパ４２Ａが形成されており、孔３８への挿通が円滑に行われるようになっている。
【００１４】
図３はロック部５２を含むロック機構５０を示す斜視図である。符号６０で示すものは左右一対の保持部であり、その間隙にストッパ４０を受容するとともに、ロック部５２（図２）が位置する。５４は操作部であり、その一部が一対の保持部６０がなす上記間隙に位置するロック部となっている。ロック部５２ないし操作部５４はベース３０の背板３３と保持部６０の凹部６２とがなす空間内で回動可能である。操作部５４は、ばね５６により、ロック部５２が図２に示すストッパ４０の係合部４８と係合する位置（ロック位置）に付勢されている。また、背面側からの作業者の押圧ないしは押下の操作（図３の矢印で示す方向）に応じ、ばね５６の付勢力に抗して、ロック部５２がストッパの係合部４８から離脱した位置（ロック解除位置）への揺動が可能である。
【００１５】
なお、図１において符号７０で示すものは不図示のパレット等への取り付け部であり、チャネル形状を有している。本実施形態の移動防止装置は、左右側壁３２間の外寸にほぼ一致した幅の開口を有するパレットに対し摺動可能に取り付けられる。この際、取り付け部７０は、そのチャネルの内側にパレット側の支持案内部を挿通した状態として、ボルト等によりベース３０の底面に固定される。パレット側の支持案内部に複数の穴を設けておき、適宜の位置にある穴に対し、ストッパ４０の先端部が孔３８を介して突入するようにすることにより、円筒体の外径に応じて移動防止装置を位置決め・固定することができる。なお、取り付け部７０の形状は取り付け対象となるパレット等に応じて適宜定め得ることは勿論である。そして、適宜の個数の移動防止装置を円筒体長手方向の所定位置、かつ円筒体の寸法（径）に応じた位置にセットし、取り付け部７０をパレット等に固定することができる。これによって移動防止装置が固定され、輸送時の振動によっても脱落の恐れなく有効に円筒体の移動を阻止できるようになる。
【００１６】
以上の構成を具える円筒体移動防止装置の動作を説明する。
【００１７】
図４は、支持部１０を図２に示した円筒体の支持を行う位置に設定する直前の、もしくは当該状態から支持部１０をリフトした直後の状態を示している。
この状態から円筒体支持位置に支持部１０を設定する場合、折り曲げ部１０Ａを手で支えながらそのまま支持部１０を下降させればよい。支端において軸１６に遊嵌されているストッパ４０は重力の作用に従って鉛直方向下方に吊下され、先端部４２が孔３８に対向する。このとき若干の位置ずれがあっても、テーパ４２Ａによって先端部４２は孔３８内に案内されてゆく。また、ストッパ４０の側縁部がロック部５２に係合し、これがカム面となってロック部５２をロック解除位置に向けて偏倚させるので、下方への移動が円滑に行われる。そして、先端部４２が完全に孔３８に挿通されたとき、ロック部５２がストッパの係合部４８に対向すると、ばね５６の付勢力に従ってロック位置に回動する。一方、  ストッパ４０を孔３８から離脱させる際には、操作部５４を操作してロック部５２をロック解除位置に設定してから、支持部１０を上方に引き上げればよい。
【００１８】
これらの操作を行う際、作業者はほとんどベース背板３３より背面側にて操作を行うことになる。次に述べる折りたたみ状態以外では、作業者が触れる折り曲げ部１０Ａはベース背板３３より背面側に位置しているからである。折り曲げ部背板３３より正面側に作業者の指が入るのは僅かに、操作部５４を図３に示した矢印方向に押圧し、ロック状態を解除する場合のみである。
【００１９】
次に、支持部１０をベース上に折りたたむ際の動作を説明する。本実施形態は、ベース３０の底面上に、支持面１２を上に向けた状態でも下に向けた状態でも折りたたむことができる。
【００２０】
図５〜図７は、支持面１２を上に向けた状態で折りたたむ際の動作を説明するための透視側面図である。
【００２１】
図４に示した状態から支持部１０をさらにリフトした後、まず図５に示すように支持部１０を背面側に向かって傾斜した状態とする。この際、ストッパ４０の先端４２がベース３０の底面と干渉しないように、指等でストッパ４０も傾斜した姿勢を取るようにすることができる。この状態から支持部１０を正面方向に押し込むと、図６に示すようにベース側壁３２のピン３４がガイド溝２４に沿って相対摺動しながら支持部１０を案内し、図７に示すような折りたたみ状態となる。
【００２２】
ここで、ガイド溝２４は湾曲形状を有している。そのため、図７の状態に至る過程で、支持部１０は弧を描くように移動してゆく。またこの際、ガイド２０の側縁部も湾曲形状を有しているので、ベース３０の背板３３および底面との干渉も生じない。これも本実施形態の特徴の１つであり、例えば円筒体の積み下ろしを行う際、クレーンやフォークリフト等によって円筒体を僅かにリフトさせた状態とすれば、その下に潜り込むように支持部１０を移動させ、折りたたむことができるからである。そして図７に示した折りたたみ状態では、支持面１２が略水平となるので、その上を転動させる等して円筒体を下ろすことが可能となる。
【００２３】
また、そのような荷下ろしのために支持部１０の折りたたみを行う際、上述のように作業者の指が背板３３の正面側に進入するのは操作部５４の押圧を行ってストッパ４０のロック状態を解除する一瞬だけであり、かつ支持面１２側には進入しない。従って万一、フォークリフト等から円筒体が落下しても、傷害の恐れが極めて少なくなる。これもまた、本実施形態の特徴の１つである。  
【００２４】
なお、荷積み後に支持部１０を円筒体支持位置にセットすることを望むのであれば、荷下ろし時と逆の操作を行えばよい。
【００２５】
図８および図９は、支持面１２を下に向けた状態で折りたたむ際の動作を説明するための透視側面図である。図４に示した状態から支持部１０をさらにリフトした後、図８に示すように支持部１０を正面側に向かって傾斜した状態とする。そしてそのままこれを正面側に向かって倒せば、図９に示すような折りたたみ状態となる。
【００２６】
以上のように、ベース３０の底面上に、支持面１２を上に向けた状態でも下に向けた状態でも支持部１０を折りたたむことができるということも本実施形態の特徴の１つである。移動防止装置の非使用時ないし収納時には、作業者は折りたたみ方向に特に意を払わないで、すなわち自らが操作しやすい方法で簡単に折りたたむことができるからである。
【００２７】
以上の実施形態では、背板３３の背面側から操作部５４の押圧ないし押下の操作を行うことでストッパ４０のロック状態が解除されるものとしたが、ロック状態解除のための操作部の構成は適宜定め得ることは勿論である。
図１０はロック機構の他の実施形態を示すもので、本例では操作部５４の操作端部５４Ａを図３とは反対方向、すなわち背面方向に折り曲げている。操作者はこの操作端部５４Ａを図の矢印で示す方向に引き上げることで上述と同様に操作部５４を回動させ、ストッパ４０のロック状態を解除することができる。操作部５４をこの実施形態のように構成することで、ロック状態解除のために操作端部５４Ａに加える力の方向と、支持部１０の折りたたみに際してこれをリフトするために折り曲げ部１０Ａに加える力の方向とが一致することになる。従ってこのとき、操作者は操作端部５４Ａと折り曲げ部１０Ａとを同時に片手で把持してほぼワンアクションの引き上げ動作を行えばよいことになるので、操作が極めて簡便かつ迅速に行えるものとなり、また安全性も一層向上する。
【図面の簡単な説明】
【００２８】
【図１】本発明の一実施形態に係る移動防止装置を示す斜視図である。
【図２】図１の右側面の透視図である。
【図３】実施形態のロック機構を示す斜視図である。
【図４】移動防止装置を図２に示した円筒体支持状態にセットする直前の状態を示す透視側面図である。
【図５】円筒体支持面を上に向けた状態で移動防止装置を折りたたむ動作を説明するための透視側面図である。
【図６】円筒体支持面を上に向けた状態で移動防止装置を折りたたむ動作を説明するための透視側面図である。
【図７】円筒体支持面を上に向けた状態で移動防止装置を折りたたむ動作を説明するための透視側面図である。
【図８】円筒体支持面を下に向けた状態で移動防止装置を折りたたむ動作を説明するための透視側面図である。
【図９】円筒体支持面を下に向けた状態で移動防止装置を折りたたむ動作を説明するための透視側面図である。
【図１０】他の実施形態のロック機構を示す斜視図である。
【符号の説明】
【００２９】
１０  支持部
１２  支持面
２０  ガイド
２４  ガイド溝
３０  ベース
３２  ベース側壁
３３  ベース背板
３４  ピン
３８  ベース孔
４０  ストッパ
４８  係合部
５０  ロック機構
５２  ロック部
５４  操作部
５４Ａ  操作端部
５６  ばね
１００  円筒体
【図１】
2006225041.tif 000003
【図２】
2006225041.tif 000004
【図３】
2006225041.tif 000005
【図４】
2006225041.tif 000006
【図５】
2006225041.tif 000007
【図６】
2006225041.tif 000008
【図７】
2006225041.tif 000009
【図８】
2006225041.tif 000010
【図９】
2006225041.tif 000011
【図１０】
2006225041.tif 000012